(57)【要約】  移動局装置（３）、無線通信部（３０）及び無線リソース要求部（３１）を含む。無線通信部（３０）は、第１の基地局（１）及び第２の基地局（２）と無線通信可能に構成されている。無線リソース要求部（３１）は、無線通信部（３０）が第１の基地局（１）との間でアップリンク信号の送信及びダウンリンク信号の受信を行う場合に、第２の基地局（２）に対してアップリンク及びダウンリンクのうち少なくとも一方の無線リソースの一時的な割り当てを要求する。さらに、無線リソース要求部（３１）は、第２の基地局（２）によって割り当てられた無線リソースを無線通信部（３０）による第１の基地局（１）との間のアップリンク信号の送信又はダウンリンク信号の受信に使用可能とする。
2011089674.tif 000002
【特許請求の範囲】
【請求項１】
第１及び第２の基地局と無線通信可能な無線通信手段と、
無線リソース要求手段と、
を備え、
前記無線リソース要求手段は、
前記無線通信手段が前記第１の基地局との間でアップリンク信号の送信及びダウンリンク信号の受信を行う場合に、前記第２の基地局に対してアップリンク及びダウンリンクのうち少なくとも一方の無線リソースの一時的な割り当てを要求し、
前記第２の基地局によって割り当てられた前記無線リソースを前記無線通信手段による前記第１の基地局との間の前記アップリンク信号の送信又は前記ダウンリンク信号の受信に使用可能とする、
移動局装置。
【請求項２】
前記無線リソース要求手段は、前記アップリンク信号及び前記ダウンリンク信号のうち少なくとも一方の通信品質が基準値を超えて低下する場合に、前記基準値を確保するために必要な無線リソースの割り当てを前記第２の基地局に要求するよう構成されている、請求項１に記載の移動局装置。
【請求項３】
前記無線リソース要求手段は、前記アップリンク信号及び前記ダウンリンク信号のうち少なくとも一方に対する周辺セルからの干渉の発生を契機として、前記無線リソースの一時的な割り当てを前記第２の基地局に要求するよう構成されている、請求項１又は２に記載の移動局装置。
【請求項４】
前記無線リソース要求手段は、前記アップリンク信号及び前記ダウンリンク信号のうち少なくとも一方のスループットの低下が検知されたことに応じて、前記無線リソースの一時的な割り当てを前記第２の基地局に要求するよう構成されている、請求項１〜３のいずれか１項に記載の移動局装置。
【請求項５】
前記第２の基地局は複数の基地局を含み、
前記無線リソース要求手段は、前記複数の基地局のうちダウンリンク受信電力の大きさに基づいて選択された少なくとも１つの基地局に対して前記無線リソースの割り当てを要求するよう構成されている、請求項１〜４のいずれか１項に記載の移動局装置。
【請求項６】
自セルを形成し、移動局と無線通信を行うことが可能な無線通信手段と、
前記自セルの周辺に形成された周辺セルに在圏する移動局からの要求に応じて、アップリンク及びダウンリンクのうち少なくとも一方の無線リソースを前記移動局に対して一時的に割り当てる無線リソース割当手段と、
を備える基地局装置。
【請求項７】
前記無線リソース割当手段は、前記移動局に対して割り当てた無線リソースの前記自セルに在圏する他の移動局による使用を禁止するよう構成されている、請求項６に記載の基地局装置。
【請求項８】
第１のセルを形成可能な第１の基地局と、
前記第１のセルに隣接する第２のセルを形成可能な第２の基地局と、
前記第１及び第２の基地局と無線通信可能な移動局とを備え、
前記移動局は、
前記第１の基地局との間でアップリンク信号の送信及びダウンリンク信号の受信を行う場合に、前記第２の基地局に対してアップリンク及びダウンリンクのうち少なくとも一方の無線リソースの一時的な割り当てを要求し、前記第２の基地局によって割り当てられた前記無線リソースを前記第１の基地局との間の前記アップリンク信号の送信又は前記ダウンリンク信号の受信に使用するよう構成されている、
無線通信システム。
【請求項９】
第１のセルに在圏し前記第１のセルを形成する第１の基地局との間でアップリンク信号の送信及びダウンリンク信号の受信を行う場合に、前記第１のセルに隣接する第２のセルを形成する第２の基地局に対してアップリンク及びダウンリンクのうち少なくとも一方の無線リソースの一時的な割り当てを要求すること、及び
前記第２の基地局によって割り当てられた前記無線リソースを前記第１の基地局との間の前記アップリンク信号の送信又は前記ダウンリンク信号の受信に使用すること、
を備える移動局の制御方法。
【請求項１０】
自セルを形成し、移動局と無線通信を行うことが可能な基地局の制御方法であって、
前記自セルの周辺に形成された周辺セルに在圏する移動局からの要求に応じて、アップリンク及びダウンリンクのうち少なくとも一方の無線リソースを前記周辺セルに在圏する移動局に対して一時的に割り当てること、
を備える基地局の制御方法。
【発明の詳細な説明】
【技術分野】
【０００１】
本発明は、隣接セル間で使用される無線リソースが重複することに起因するセル間干渉を動的に抑制する技術に関する。
【背景技術】
【０００２】
3GPP（3rd Generation Partnership Project）、3GPP2（3rd Generation Partnership Project 2）、WiMAX（Worldwide Interoperability for Microwave Access）フォーラム等では、利用者宅内、オフィス内などに設置可能な小型基地局の標準化が行なわれている。この小型基地局は、小型基地局を所有するユーザによって宅内や小規模オフィス等に設置され、ADSL（Asymmetric Digital Subscriber Line）や光ファイバ回線等のブロードバンド回線を用いてコアNWに接続することが想定されている。このような小型基地局は、一般的に、フェムト基地局、フェムトセル基地局、又はホーム基地局と呼ばれている。また、小型基地局が形成するセルのサイズ（カバーエリア）は、従来のマクロセルに比べて極めて小さい。このため、小型基地局が形成するセルは、フェムトセル又はホームセル等と呼ばれている。3GPPは、このような小型基地局を Home Node B（HNB）及び Home evolved Node B（HeNB）と定義して標準化作業を進めている。HNBはUTRAN （UMTS (Universal Mobile Telecommunications System) Terrestrial Radio Access Network）向けの小型基地局であり、HeNBはLTE（Long Term Evolution）/ EUTRAN (Evolved UTRAN) 向けの小型基地局である。【０００３】
本明細書では、このような小型基地局を「フェムトセル基地局」と呼ぶ。なお、3GPPで検討されているUTRAN、E-UTRAN向けのフェムトセル基地局を指す場合には、3GPPでの呼称にならって、HNB若しくはHeNB、又はこれらを総称してH(e)NBと呼ぶ。【０００４】
また、LTEやWiMAXでは、多元接続（マルチプルアクセス）方式としてOFDMA（Orthogonal Frequency Division Multiple Access）を採用している。LTEの場合、アップリンク及びダウンリンクの両方についてOFDMAを使用している。なお、LTEのアップリンクのアクセス方式は、SC-FDMA（Single Carrier Frequency Division Multiple Access）又はDFTS-OFDM（Discrete Fourier Transform Spread OFDM）と呼ばれる。SC-FDMAでは、異なるユーザ（UE：User Equipment）のアップリング信号は異なるOFDMサブキャリアを用いて伝送される。つまり、SC-FDMAにおいても、各ユーザのアップリング信号はOFDMAにより多重されている。【０００５】
LTEでは、アップリンク及びダウンリンクの無線リソース割り当ては、リソースブロック（RB）を基本単位として行われる。RBは、周波数領域で複数のOFDMサブキャリアを含み、時間領域で少なくとも１つのシンボル時間を含む。LTEのRBは、アップリンク及びダウンリンクともに帯域幅180kHz及び時間幅0.5msと規定されており、１２OFDMサブキャリア及び７OFDMシンボルを含む。UEに対するRBの割り当てはeNBが有するリソースブロック・スケジューリング機能によって、２RB時間（1ms）単位で行われる。【０００６】
隣接する２つのeNBが同じRBを使用すると、セル間干渉が生じるおそれがある。使用RBの重複に起因するセル間干渉を動的に抑制するため、eNBは、隣接するeNBとシグナリングし、セル間干渉を回避するようにRBスケジューリングを行う。例えば、アップリンクRBの重複に起因するセル間干渉を動的に回避する技術が非特許文献１に記載されている。具体的に述べると、eNBは、eNB間インタフェース（X2インタフェース）を用いて隣接eNBから"LOAD INFORMATION"を受信する。"LOAD INFORMATION"に含まれる情報要素（IE：Information Element）の１つとして"UL High Interference Indication IE"が規定されている。"UL High Interference Indication IE"は、送信元の隣接eNBにおいて大きな干渉が生じているRBを示す。 "LOAD INFORMATION"を受信した場合、eNBは、"UL High Interference Indication IE"で指定されたRBをセルエッジ近傍のUEに割り当てないようにする。これにより、セルエッジ近傍のUEが当該RBを使用することによって生じる隣接セルのUL信号に対する干渉を動的に抑制することができる。
【先行技術文献】
【非特許文献】
【０００７】
【非特許文献１】3GPP TS 36.423 V9.1.0 (2009-12)、"Evolved Universal Terrestrial Radio Access Network (E-UTRAN);X2 application protocol (X2AP) (Release 9)"、8.3.1節「Load Indication」
【発明の概要】
【発明が解決しようとする課題】
【０００８】
上述したように、通常のマクロセル基地局（例えばeNB）は、隣接基地局とのインタフェースを持っており、基地局間のシグナリングによってRBの重複によるセル間干渉を動的に抑制することができる。しかしながら、HeNB等のフェムトセル基地局は、マクロセル基地局を含む周辺基地局とシグナリングするための基地局間インタフェースを持たない場合がある。また、マクロセル内に多数のフェムトセル基地局が存在することが予想されるため、全ての基地局間で基地局間インタフェースを構築することは現実的に困難である。【０００９】
本発明は、上述した本願発明者の知見に基づいてなされたものであり、隣接基地局間のシグナリングに依らずに、無線リソースの衝突に起因する隣接セル間干渉を動的に抑制することに寄与可能な移動局装置、基地局装置、無線通信システム、制御方法、及びプログラムの提供を目的とする。
【課題を解決するための手段】
【００１０】
本発明の第１の態様は、移動局装置を含む。当該移動局装置は、無線通信部及び無線リソース要求部を含む。前記無線通信部は、第１及び第２の基地局と無線通信可能に構成されている。前記無線リソース要求部は、前記無線通信部が前記第１の基地局との間でアップリンク信号の送信及びダウンリンク信号の受信を行う場合に、前記第２の基地局に対してアップリンク及びダウンリンクのうち少なくとも一方の無線リソースの一時的な割り当てを要求する。さらに、前記無線リソース要求部は、前記第２の基地局によって割り当てられた前記無線リソースを前記無線通信部による前記第１の基地局との間の前記アップリンク信号の送信又は前記ダウンリンク信号の受信に使用可能とする。【００１１】
本発明の第２の態様は、基地局装置を含む。当該基地局装置は、無線通信部及び無線リソース割当部を含む。前記無線通信部は、自セルを形成し、移動局と無線通信を行うことができるよう構成されている。前記無線リソース割当部は、前記自セルの周辺に形成された周辺セルに在圏する移動局からの要求に応じて、アップリンク及びダウンリンクのうち少なくとも一方の無線リソースを前記移動局に対して一時的に割り当てる。【００１２】
本発明の第３の態様は、無線通信システムを含む。当該無線通信システムは、第１及び第２の基地局、並びに前記第１及び第２の基地局と無線通信可能な移動局を含む。前記移動局は、前記第１の基地局との間でアップリンク信号の送信及びダウンリンク信号の受信を行う場合に、前記第２の基地局に対してアップリンク及びダウンリンクのうち少なくとも一方の無線リソースの一時的な割り当てを要求し、前記第２の基地局によって割り当てられた前記無線リソースを前記第１の基地局との間の前記アップリンク信号の送信又は前記ダウンリンク信号の受信に使用するよう構成されている。【００１３】
本発明の第４の態様は、移動局の制御方法を含む。当該制御方法は、以下のステップ（ａ）及び（ｂ）を含む。
（ａ）第１のセルに在圏し前記第１のセルを形成する第１の基地局との間でアップリンク信号の送信及びダウンリンク信号の受信を行う場合に、前記第１のセルに隣接する第２のセルを形成する第２の基地局に対してアップリンク及びダウンリンクのうち少なくとも一方の無線リソースの一時的な割り当てを要求すること、及び
（ｂ）前記第２の基地局によって割り当てられた前記無線リソースを前記第１の基地局との間の前記アップリンク信号の送信又は前記ダウンリンク信号の受信に使用すること。【００１４】
本発明の第５の態様は、自セルを形成し、移動局と無線通信を行うことが可能な基地局の制御方法を含む。当該制御方法は、前記自セルの周辺に形成された周辺セルに在圏する移動局からの要求に応じて、アップリンク及びダウンリンクのうち少なくとも一方の無線リソースを前記周辺セルに在圏する移動局に対して一時的に割り当てることを含む。【００１５】
本発明の第６の態様は、移動局に関する制御をコンピュータに行わせるためのプログラムを含む。ここで、前記移動局は、第１及び第２の基地局と無線通信可能な無線通信部を有する。当該プログラムを実行するコンピュータにより行われる前記制御は、以下の処理（ａ）及び（ｂ）を含む。
（ａ）第１のセルに在圏し前記第１のセルを形成する第１の基地局との間でアップリンク信号の送信及びダウンリンク信号の受信を行う場合に、前記第１のセルに隣接する第２のセルを形成する第２の基地局に対してアップリンク及びダウンリンクのうち少なくとも一方の無線リソースの一時的な割り当てを要求すること、及び
（ｂ）前記第２の基地局によって割り当てられた前記無線リソースを前記無線通信部による前記第１の基地局との間の前記アップリンク信号の送信又は前記ダウンリンク信号の受信に使用可能とすること。【００１６】
本発明の第７の態様は、自セルを形成し、移動局と無線通信を行うことが可能な基地局の制御をコンピュータに行わせるためのプログラムを含む。当該プログラムを実行するコンピュータにより行われる前記制御は、前記自セルの周辺に形成された周辺セルに在圏する移動局からの要求に応じて、アップリンク及びダウンリンクのうち少なくとも一方の無線リソースを前記周辺セルに在圏する移動局に対して一時的に割り当てることを含む。
【発明の効果】
【００１７】
上述した本発明の各態様によれば、隣接基地局間のシグナリングに依らずに、無線リソースの衝突に起因する隣接セル間干渉を動的に抑制することに寄与可能な移動局装置、基地局装置、無線通信システム、制御方法、及びプログラムを提供できる。
【図面の簡単な説明】
【００１８】
【図１】本発明の実施の形態１に係る無線通信システムの構成例を示すブロック図である。
【図２】図１に示したUEによる隣接セル(H)eNBに対するRB要求手順の具体例を示すフローチャートである。
【図３】図１に示した(H)eNBによる隣接セルUEに対するRB割り当て手順の具体例を示すフローチャートである。
【図４】本発明の実施の形態２に係る無線通信システムの構成例を示すブロック図である。
【図５】図４に示したUEによる隣接セル(H)eNBに対するRB要求手順の具体例を示すフローチャートである。
【図６】図４に示したUEによる隣接セル(H)eNBに対するRBの再要求手順の具体例を示すフローチャートである。
【図７】図４に示した(H)eNBによる割り当て済みRBの解放手順の具体例を示すフローチャートである。
【図８】図４に示した無線通信システムにおけるRBの割り当て及び解放処理の具体例を示すシーケンス図である。
【図９】図４に示した無線通信システムにおけるRBの割り当て及び解放処理の他の具体例を示すシーケンス図である。
【図１０】本発明の実施の形態３に係る無線通信システムの構成例を示すブロック図である。
【図１１】本発明の実施の形態４に係る無線通信システムの構成例を示すブロック図である。
【図１２】図１１に示した無線通信システムにおける無線リソースの割り当て及び解放処理の具体例を示すシーケンス図である。
【図１３】本発明の実施の形態５に係る無線通信システムの構成例を示すブロック図である。
【発明を実施するための形態】
【００１９】
以下では、本発明を適用した具体的な実施の形態について、図面を参照しながら詳細に説明する。各図面において、同一要素には同一の符号が付されており、説明の明確化のため、必要に応じて重複説明は省略される。
【００２０】
＜発明の実施の形態１＞
図１は、本実施の形態にかかる無線通信システムの構成例を示している。本実施の形態では、LTEシステムを例に説明する。図１において、HeNB１は、フェムトセル基地局であり、フェムトセル１０１を形成してUEとの無線通信を行う。(H)eNB２は、フェムトセル１０１に隣接するセル１０２を形成しUEとの無線通信を行う。（H）eNB２は、フェムトセル基地局でもよいしマクロセル基地局でもよい。以下では、（H）eNB２がマクロセル基地局である場合を例に説明し、単にeNB２と表記する。図１において、UE３はセル１０１に在圏し、UE４はセル１０２に在圏している。なお、説明の簡便化のために、図１では、UE３及びUE４をそれぞれ１台のみ図示しているが、これらはそれぞれ複数台存在してもよい。
【００２１】
背景技術で述べたように、HeNB１とeNB２の間に基地局間インタフェースが無い場合には、使用RBの重複に起因する干渉の動的な抑制を基地局間のシグナリングによって行うことができない。本実施の形態では、セル１０１に在圏するUE３と隣接セル１０２を形成するeNB２とのシグナリングによって、動的な干渉抑制を可能とする。以下では、干渉回避のためのUE３及びeNB２の構成及び動作の具体例について順に説明する。
【００２２】
始めに、図１に示したUE３の構成例について説明する。無線通信部３０は、HeNB１及びeNB２と双方向の無線通信を行うことができるよう構成されている。具体的には、無線通信部３０は、アップリンク送信データに対するに誤り訂正符号化、レートマッチング、インタリービング、スクランブル、変調シンボルマッピングを行って物理チャネル毎の送信シンボル列を生成する。さらに、無線通信部３０は、送信シンボル列のリソースエレメントへのマッピング、DFTS-OFDM信号生成、周波数アップコンバージョン、信号増幅等の各処理を行ってアップリンク信号を生成する。生成されたアップリンク信号はアンテナから無線送信される。また、無線通信部３０は、ダウンリンク信号を受信し、受信シンボル列の復元、論理チャネル毎の受信データの復元等を行う。
【００２３】
RB要求部３１は、UE３とHeNB１の間の通信に使用するRBの干渉を抑制するため、隣接セル１０２を形成するeNB２に対してRBの割り当てを要求する。要求されるRBは、ダウンリンクRB及びアップリンクRBの両方でもよいし、いずれか一方のみでもよい。当該要求は、無線通信部３０を介してeNB２に無線送信される。また、RB要求部３１は、eNB２から通知される割り当て可能なRBと割当期間の情報を、無線通信部３０を介して受信する。なお、割当期間が固定的に定められている場合、RB要求部３１は、割当期間の情報を受信しなくてもよい。RB要求部３１は、eNB２から割り当てられたRBを無線通信部３０に適用し、当該RBを使用したUE３とHeNB１との通信を可能とする。なお、RB要求部３１は、eNB２から割り当てられたRBをeNB１に通知してもよいし、通知しなくてもよい。割り当てられたRBを通知しなくても、eNB１が当該RBの空き状態を検出することで、当該RBを使用した通信が可能となるためである。
【００２４】
次に、図１に示したeNB２の構成例について説明する。無線通信部２０は、自身のセル１０２に在圏するUE４及び隣接セル１０１に在圏するUE３と無線通信を行う。具体的には、無線通信部２０は、ダウンリンク送信データに対するに誤り訂正符号化、レートマッチング、インタリービング、スクランブル、変調シンボルマッピングを行って物理チャネル毎の送信シンボル列を生成する。さらに、無線通信部３０は、送信シンボル列に対するレイヤマッピング（MIMO（Multiple Input/ Multiple Output）を行う場合）、プリコーディング（MIMOを行う場合）、リソースエレメントへのマッピング、OFDM信号生成、周波数アップコンバージョン、信号増幅等の各処理を行ってダウンリンク信号を生成する。生成されたダウンリンク信号はアンテナから無線送信される。また、無線通信部２０は、アップリンク信号を受信し、受信シンボル列の復元、論理チャネル毎の受信データの復元等を行う。
【００２５】
RB割当部２１は、UE３から送信されたRB割当要求を無線通信部２０を介して受信する。RB割当部２１は、UE３に対するRBの割当てが可能かを判断する。割当て可能である場合、RB割当部２１は、割当て可能なRBと割当期間の情報を生成し、無線通信部２０を介してUE３に送信する。なお、割当期間が固定的に定められている場合、RB割当部２１は、割当期間の情報を生成しなくてもよい。
【００２６】
RB割当部２１は、隣接セル１０１のUE３に割り当てたRBの自セル１０２での重複使用を避けるため、セル１０２に在圏するUE４による当該RBの使用を停止してもよい。また、RB割当部２１は、隣接セル２０１近傍に位置すると予想されるUE４に対して当該RBを割当てないようにし、eNB２の近傍に位置するUE４に対して当該RBを割り当ててもよい。このようなRBの割当て制御は、例えば、アップリンク信号に含まれるリファレンス信号の受信電力を基準として行えばよい。
【００２７】
つまり、eNB２は、隣接セル１０１に在圏するUE３が隣接eNB（HeNB１）と通信を行うためのRBを確保する。UE３に割り当てたRBの配下のUE４による使用をeNB２が抑制することで、eNB1とUE３の間の通信において必要なスループットを確保できるようになる。
【００２８】
続いて以下では、UE3によるRB要求手順およびeNB２によるRB割当て手順について詳細に説明する。図２は、UE3によるRB要求手順の具体例を示すフローチャートである。ステップＳ１０では、UE３は、隣接eNB（つまりeNB２）に対してRB割当要求を送信する。ステップＳ１１では、UE３は、割当て可能なRB及に割当期間の情報をeNB２から受信する。ステップＳ１２では、UE３は、eNB２から割り当てられたRBを使用してHeNB１と通信する。上述の通り、eNB２から割り当てを受けるRBは、アップリンクRB及びダウンリンクRBの両方又はいずれか一方のみでもよい。
【００２９】
図３は、eNB２によるRB割当て手順の具体例を示すフローチャートである。ステップＳ２０では、eNB２は、隣接セル（つまりセル１０１）に在圏するUE３からRB割当要求を受信する。ステップS２１では、eNB２は、割当て可能なRB及び割当期間の情報をUE３に送信する。ステップＳ２２では、割当期間の間、eNB２は、隣接セル１０１のUE３に割り当てたRBの自セル（つまりセル１０２）での使用を停止する。
【００３０】
上述したように、本実施の形態にかかる無線通信システムは、隣接セル間での使用RBの重複に起因する干渉の発生を、UE３と隣接セルのeNB２とのシグナリングによって動的に抑制することができる。なお、UE３がeNB２に対してRB割当要求を行うタイミング、及び要求するRBの大きさについては、様々なバリエーションが考えられる。実施の形態２以降では、これらのバリエーションについて説明する。
【００３１】
＜発明の実施の形態２＞
本実施の形態では、UE３とHeNB１との間のダウンリンク又はアップリンクのスループットが基準値を下回った場合に、UE３はeNB２に対するRB割当要求の送信を決定する。また、UE３は、基準値に相当するスループットを確保するために必要なRBの割り当てをeNB２に要求する。
【００３２】
また、UE３は、隣接するeNB（eNB２）が複数存在する場合に、RB割当要求の送信先を決定するために周辺セルサーチを行ってもよい。具体的には、UE３は、周辺セルサーチによって検出された少なくとも１つの周辺（H）eNBのうち、ダウンリンク受信電力が閾値を超える少なくとも１つの(H)eNBを選択し、これらにRB割当要求を送信すればよい。
【００３３】
図４は、本実施の形態にかかる無線通信システムの構成例を示している。図４と上述の図１との差分は、UE３がスループット測定部３２及び周辺(H)eNB検出部３３を持つ点である。スループット測定部３２は、HeNB１との間の通信スループットを測定し、スループットが基準値を下回ったかを検出する。スループット測定部３２は、アップリンク及びダウンリンクの両方のスループットを測定してもよいし、いずれか一方のみを測定してもよい。スループットの基準値は、例えば、UE３とHeNB１との間の通信に必要な最低限のスループットとすればよい。
【００３４】
周辺(H)eNB検出部３３は、周辺セルサーチを行って周辺に位置する少なくとも１つの(H)eNBを検出する。
【００３５】
図４のRB要求部３１は、スループット測定部３２及び周辺(H)eNB検出部３３と連携して、RB割当要求の送信タイミング及び送信先の隣接eNB２を決定する。つまり、RB要求部３１は、スループットが基準値を下回ったことが検出された場合に、周辺セルサーチで検出された少なくとも１つの周辺(H)eNBのうちダウンリンク受信電力の大きい少なくとも１つの(H)eNBを選択し、選択された(H)eNBにRB割当要求を送信する。
【００３６】
続いて、本実施の形態におけるUE3によるRB要求手順の具体例について説明する。図５は、当該具体例を示すフローチャートである。ステップＳ３０では、UE３は、ダウンリンク（DL）又はアップリンク（UL）のスループットが基準値（最小スループット）を下回ったことを検出する。ステップＳ３１では、UE３は、周辺セルサーチを行うことで、ダウンリンク受信電力の大きい少なくとも１つの隣接eNB（eNB２）を選択する。ステップＳ３２では、UE３は、最小スループット通信を行うために必要なRBの割当要求を、選択した隣接eNB に送信する。ステップＳ３３及びＳ３４は、図２のステップＳ１１及び１２と同様である。なお、UE３が複数の隣接eNB２からRBの割り当てを受けた場合、これら全てを使用してもよいし、最小スループット通信に必要な一部を使用してもよい。一部のRBを使用する場合、ダウンリンク受信電力の大きい隣接eNBから割り当てられたものを優先的に使用するとよい。当該RBは、他のRBに比べて干渉を抑制効果が高いと想定されるためである。
【００３７】
上述したように、本実施の形態では、UE３は、スループットが基準値を下回った場合に、当該基準値に相当するスループットを確保するために必要なRBの割り当てを要求することとした。これにより、UE３がeNB２に対して無駄なRBを要求することを防止でき、eNB２におけるRBの使用効率の低下を防止できる。
【００３８】
また、UE３の周囲に複数の隣接eNB２が存在する場合に、周辺セルサーチの結果を用いて、ダウンリンク受信電力が相対的に大きい隣接eNB２をRB割当要求の送信先として選択することとした。これにより、RB割当を受けることで干渉抑制効果が高いと想定される隣接eNB２に対して効率よく要求を行うことができる。
【００３９】
さらに以下では、eNB2がUE３に割り当てたRBの解放手順の具体例について説明する。ここで、RBの解放とは、UE３へのRBの割り当てを終了し、自セル（セル１０２）に在圏するUE４による当該RBの使用を可能とすることを意味する。eNB２は、割り当て期間が経過したこと（タイムアウトしたこと）を契機としてRBの解放を行ってもよい。また、タイムアウトによるRBの解放と組み合わせて、eNB２がUE３からRBの解放要求を受信したことを契機としてRB解放を行ってもよい。例えば、UE３の通信が終了した場合にタイムアウトを待たずにRBを解放できるため、eNB２におけるRBの使用効率の低下を抑制できる。また、UE３は、割り当て期間を超えて引き続きRBを使用したい場合がある。よって、UE３は、RBの再割り当てをeNB２に要求してもよい。
【００４０】
図６は、UE３がRBの再割り当て要求を行う手順の具体例を示すフローチャートである。ステップＳ４０では、UE３は、eNB２から割り当てを受けているRBの継続使用の要否を判定する。継続使用が必要である場合（ステップＳ４０でＹＥＳ）、UE３は、隣接eNB（eNB２）に対してRB割当要求を送信する（ステップＳ４１）。当該要求は、割り当てを求めるRBの指定を含んでもよいし、当該指定を含まなくてもよい。これに対して、eNB１との通信が終了した等の利用によってRBの継続使用が不要である場合（ステップＳ４０でＮＯ）、UE３は、隣接eNB（eNB２）に対してRB解放要求を送信する（ステップＳ４２）。
【００４１】
図７は、eNB２におけるRB解放手順の具体例を示すフローチャートである。ステップＳ５０では、eNB２は、隣接セル（セル１０１）のUE（UE３）からRB割当要求を再受信したかを判定する。RB割当要求を再受信した場合（ステップＳ５０でＹＥＳ）、eNB２はUE３にRBを再度割り当てる（ステップＳ５１）。再割り当てされるRBは先に割り当てたRBを同じでもよいし異なってもよい。
【００４２】
ステップＳ５２では、eNB２は、UE３からRB解放要求を受信したかを判定する。解放要求を受信した場合（ステップＳ５２でＹＥＳ）、eNB２は、該当するRBを解放し、自セル１０２内のUE４による該当RBの使用を可能とする（ステップＳ５４）。
【００４３】
ステップＳ５３では、eNB２は、RB割当時にUE３に通知した割当期間が経過したか（タイムアウトしたか）を判定する。タイムアウトした場合（ステップＳ５３でＹＥＳ）、eNB２は、該当するRBを解放し、自セル１０２内のUE４による該当RBの使用を可能とする（ステップＳ５４）。
【００４４】
図８及び図９は、RBの割当てから解放までの一連の処理シーケンスの具体例を示している。図８は、UE３からの解放要求に基づいてRBの解放が行われる例である。ステップＳ６０１では、UE３とHeNB１が、あるダウンリンクRB及びアップリンクRBを用いて通信を行う。ステップＳ６０２では、UE４とeNB２が、UE３とHeNB１が使用するRBと重複するRBを用いて通信を開始する。これにより、マクロセル１０２からフェムトセル１０１への干渉が発生する。ステップＳ６０３では、UE３は、ダウンリンク信号又はアップリンク信号の通信品質の劣化を検出する。具体的には、上述したスループットの低下を検出すればよい。
【００４５】
ステップＳ６０４では、UE３はeNB2にRB割当要求を送信する。ステップＳ６０５では、eNB２は、UE３に割り当てるRBを決定する。割り当てられるRBをここでは「RB１」とする。ステップＳ６０６では、eNB２は、RB１の使用しないことをUE4に通知する。ステップＳ６０７では、eNB２は、RB１及び割当期間の情報をUE３に送信する。ステップＳ６０８では、UE３とeNB１は、RB１を用いて通信を再開する。ステップＳ６０９では、UE４とeNB２は、RB１を除く他のRBを用いて通信を開始する。
【００４６】
ステップＳ６１０では、UE３は、RB1を継続使用するための再割当要求をeNB２に送信する。ステップＳ６１１では、eNB２は、RB1のUE３に対する割り当ての継続を決定する。ステップＳ６１２では、eNB２は、RB１及び割当期間の情報をUE３に送信する。ステップＳ６１３では、UE３とeNB１は、RB１を用いて通信を継続する。
【００４７】
UE３とeNB１の通信が完了した場合（ステップＳ６１４）、UE３は、RB解放要求をeNB２に送信する。ステップＳ６１６では、eNB２は、解放要求に応じてRB１を解放する。ステップＳ６１７では、eNB２は、RB１を解放したことを示す応答をUE３に送信する。
【００４８】
図９は、タイムアウト発生によりRBの解放が行われる例である。図９のステップＳ６０１〜Ｓ６０９は図８と同様である。ステップＳ７１０では、UE３とeNB１の通信が完了する。ステップＳ７１１では、UE３は、RB解放要求をeNB２に送信する。しかしこの解放要求は、何らかの理由によって、eNB２に到達せずに消失したものとする。ステップＳ７１２では、eNB２は、UE３に対するRB１の割当期間の経過（タイムアウト）を判定する。ステップＳ７１３では、eNB２は、タイムアウト発生に応じてRB１を解放する。
【００４９】
＜発明の実施の形態３＞
本実施の形態では、UE３は、HeNB１との間のダウンリンク通信に対する干渉量を測定する。そして、UE３は、干渉量が所定の基準値を上回った場合に、eNB２に対するRB割当要求の送信を決定する。また、UE３は、基準値に相当するスループットを確保するために必要なダウンリンクRBの割り当てをeNB２に要求する。このとき、UE３は、アップリンクRBの割り当ても併せて要求してもよい。
【００５０】
図１０は、本実施の形態にかかる無線通信システムの構成例を示している。図１０と上述の図４との差分は、UE３がスループット測定部３２の替わりに干渉測定部５２を持つ点である。干渉測定部５２は、ダウンリンク信号に対する干渉量を測定する。
【００５１】
＜発明の実施の形態４＞
上述した発明の実施の形態１〜３では、LTEシステムについて説明した。しかしながら、本発明の適用先はLTEシステムに限られない。上述した発明の実施の形態１〜３は、互いに隣接する基地局間で制御メッセージを送受可能な基地局間インタフェース（X2インタフェース等）を利用できない場合に広く有効である。本実施の形態では、上述した発明の実施の形態２をWCDMAシステムに適用した例について説明する。
【００５２】
図１１は、本実施の形態にかかる無線通信システムの構成例を示している。HNB４１は、フェムトセル基地局であり、フェムトセル１０１を形成してUEとの無線通信を行う。(H)NB４２は、フェムトセル１０１に隣接するセル１０２を形成しUEとの無線通信を行う。（H）NB４２は、フェムトセル基地局でもよいしマクロセル基地局でもよい。以下では、（H）NB４２がマクロセル基地局である場合を例に説明し、単にNB４２と表記する。図１１において、UE４３はセル１０１に在圏し、UE４４はセル１０２に在圏している。なお、説明の簡便化のために、図１１では、UE４３及びUE４４をそれぞれ１台のみ図示しているが、これらはそれぞれ複数台存在してもよい。
【００５３】
本実施の形態は、上述した発明の実施の形態２と同様である。すなわち、UE４３とHNB４１との間のダウンリンク又はアップリンクのスループットが基準値を下回った場合に、UE４３はNB４２に対するRB割当要求の送信を決定する。また、UE４３は、基準値に相当するスループットを確保するために必要な無線リソースの割り当てをNB４２に要求する。なお、WCDMAシステムにおける無線リソースは、無線周波数、スクランブリングコード、及び送信電力によって規定される。スクランブリングコード間の直交性は無いため、ダウンリンクの無線周波数が同じでスクランブリングコードが異なる隣接基地局間では、送信電力の調整によって無線リソースが共用される。
【００５４】
UE４３に関して、図１１に示した無線通信部４３０は、図４に示した無線通信部３０に対応する。無線リソース要求部４３１は、RB要求部３１に対応する。スループット測定部４３２は、スループット測定部３２に対応する。周辺(H)NB検出部４３３は、周辺(H)eNB検出部３３に対応する。また、NB４２に関して、図１１に示した無線通信部４２０は、図１１に示した無線通信部２０に対応する。無線リソース割当部４２１は、RB割当部２１に対応する。
【００５５】
スループット測定部４３２は、HNB４１との間の通信スループットを測定し、スループットが基準値を下回ったかを検出する。スループット測定部４３２は、アップリンク及びダウンリンクの両方のスループットを測定してもよいし、いずれか一方のみを測定してもよい。スループットの基準値は、例えば、UE４３とHNB４１との間の通信に必要な最低限のスループットとすればよい。
【００５６】
周辺(H)NB検出部４３３は、周辺セルサーチを行って周辺に位置する少なくとも１つの(H)NBを検出する。
【００５７】
無線リソース要求部４３１は、スループット測定部４３２及び周辺(H)NB検出部４３３と連携して、無線リソース割当要求の送信タイミング及び送信先の隣接NB４２を決定する。つまり、無線リソース要求部４３１は、アップリンク又はダウンリンクのスループットが基準値を下回ったことが検出された場合に、周辺セルサーチで検出された少なくとも１つの周辺(H)NBのうちダウンリンク受信電力の大きい少なくとも１つの(H)NBを選択し、選択された(H)NBに無線リソースの割当要求を送信する。無線リソース要求部４３１は、アップリンクのスループットが基準値を下回った場合にはアップリンクの無線リソースの割り当てを要求すればよく、ダウンリンクのスループットが基準値を下回った場合にはダウンリンクの無線リソースの割り当てを要求すればよい。
【００５８】
無線リソース割当部４２１は、UE４３から送信された無線リソース割当要求を無線通信部４２０を介して受信する。無線リソース割当部４２１は、UE４３に対する無線リソースの割当てが可能かを判断する。割当て可能である場合、無線リソース割当部４２１は、UE４３と隣接HNB４１との間の通信のために無線リソースを割り当てる。具体的には、UE４３と隣接HNB４１との間のダウンリンク無線リソースを割り当てる場合、無線リソース割当部４２１は、無線通信部４２０のダウンリンク送信電力を低下させればよい。ダウンリンク送信電力を低下は、ダウンリンクの最大送信電力を抑制することによって行ってもよい。また、UE４３と隣接HNB４１との間のアップリンク無線リソースを割り当てる場合、無線リソース割当部４２１は、セル１０２に在圏するUE（UE４４を含む）からの上り総受信電力（RTWP：Received Total Wideband Power）を低下させればよい。なお、無線リソース割当部４２１は、無線リソースを割当可能な場合に、割当可能な割当期間TをUE４３に通知してもよい。
【００５９】
NB４２がセル１０２におけるダウンリンク送信電力又はアップリンク送信電力を下げることで、UE４３のダウンリンク信号又はアップリンク信号に対する干渉が低減する。これにより、UE４３は、HNB４１と通信する。UE４３は、NB４２からUE４３に割当可能な割当期間Tの情報を受信し、この期間内においてHNB４１と通信する。なお、UE４３は、NB４２から受信した割当期間Tの情報をHNB４１に通知してもよいし、しなくてもよい。割当期間Tの情報をHNB４１に通知しなくても、HNB４１が干渉の低下を検出することで当該無線リソースによる通信が可能となる。
【００６０】
図１２は、無線リソースの割当て（つまり送信電力の抑制）から無線リソースの解放（つまり送信電力の抑制解除）までの一連の処理シーケンスの具体例を示している。図１２は、UE４３からの要求に基づいてNB４２による送信電力の抑制の解除が行われる例である。ステップＳ８０１では、UE４３とHNB４１が通信を行う。ステップＳ８０２では、UE４４とNB４２が、UE４３とHNB４１が使用するのと同じ無線周波数を用いて通信を開始する。これにより、マクロセル１０２からフェムトセル１０１への干渉が発生する。ステップＳ８０３では、UE４３は、ダウンリンク信号又はアップリンク信号の通信品質の劣化を検出する。具体的には、上述したスループットの低下を検出すればよい。
【００６１】
ステップＳ８０４では、UE４３はNB４2に無線リソース割当要求を送信する。ステップＳ８０５では、NB４２は、UE４３に無線リソースを割り当て可能であるか、つまりアップリンク又はダウンリンクの送信電力低減が可能であるかを判定する。UE４３に無線リソースを割り当てる場合、ステップＳ８０６では、NB４２は、送信電力の抑制をUE４４に通知する。ステップＳ８０７では、NB４２は、無線リソースを一定時間（割当期間T）だけ割り当てることをUE４３に通知する。なお、割当期間Tは必ずしも通知しなくてもよい。ステップＳ８０８では、UE４３とHNB４１が通信を再開する。ステップＳ８０９では、UE４４とNB４２は、送信電力を抑制した状態で通信を開始する。
【００６２】
ステップＳ８１０では、UE４３は、割当期間Tを超えて無線リソースを継続使用するための再割当要求をNB４２に送信する。ステップＳ８１１では、NB４２は、UE４３に対する無線リソース割り当ての継続を決定する。ステップＳ８１２では、NB４２は、無線リソースを一定時間（割当期間T）だけ割り当てることをUE４３に通知する。ステップＳ８１３では、UE４３とHNB４１が通信を継続する。
【００６３】
UE４３とHNB４１の通信が完了した場合（ステップＳ８１４）、UE４３は、無線リソース解放要求をNB４２に送信する。ステップＳ８１６では、NB４２は、解放要求に応じて無線リソース制限（つまり、送信電力の抑制）を解除する。ステップＳ８１７では、NB４２は、無線リソースを解放したことを示す応答をUE４３に送信する。
【００６４】
なお、UE４３からの無線リソース解放要求は、何らかの理由によって、NB４２に到達せずに消失する場合がある。よって、NB４２は、UE４３からの再割当要求を受信することなく割当期間Tが経過した場合に、無線リソース制限（つまり、送信電力の抑制）を解除すればよい。
【００６５】
＜発明の実施の形態５＞
本実施の形態では、上述した発明の実施の形態３をWCDMAシステムに適用した例について説明する。つまり、本実施の形態では、UE４３は、HNB４１との間のダウンリンク通信に対する干渉量を測定する。そして、UE４３は、干渉量が所定の基準値を上回った場合に、NB４２に対する無線リソース割当要求の送信を決定する。また、UE４３は、基準値に相当するスループットを確保するために必要なダウンリンク無線リソースの割り当てをNB４２に要求する。このとき、UE４３は、アップリンク無線リソースの割り当ても併せて要求してもよい。
【００６６】
図１３は、本実施の形態にかかる無線通信システムの構成例を示している。図１３と上述の図１１との差分は、UE４３がスループット測定部４３２の替わりに干渉測定部４５２を持つ点である。干渉測定部４５２は、ダウンリンク信号に対する干渉量を測定する。
【００６７】
＜その他の実施の形態＞
ＵＥ３とeNB１との間のダウンリンク通信及びアップリンク通信に干渉が生じていることを示すパラメータは、上述したスループット及びダウンリンク干渉量に限られない。干渉が生じている場合、一般的に、通信品質に関するパラメータが変化する。したがって、例えば、UE３は、ＳＩＲ（Signal to Interference Ratio）、ＢＥＲ（Bit Error Rate）等を測定し、これらが基準値を下回った場合にeNB２にRB割当要求を行ってもよい。
【００６８】
また、上述した図８及び９では、UE３とeNB１が通信を開始した後にUE４とeNB２が通信を開始することによる通信品質の劣化（例えばスループット低下）を検知する例を示した。これとは逆に、先にUE４とeNB２が通信を開始している状況で、その後UE３とeNB１が通信を開始する場合、UE３は、通信品質の十分な空きRBが確保できないことを検知した場合に、RB割当要求をeNB2に送信すればよい。図１２についても同様である。
【００６９】
また、上述した各実施の形態では、リソースブロックを含む無線リソースの割り当てを隣接基地局に対して要求する移動局（UE３、UE４３）が在圏するセルを管理する基地局（HeNB１、HNB４１）がフェムトセル基地局である場合について説明した。しかしながら、移動局（UE３、UE４３）が在圏するセルを管理する基地局は、マクロセル基地局でもよい。互いに隣接する基地局間で制御メッセージを送受可能な基地局間インタフェース（X2インタフェース等）を利用できない場合に、UEが無線リソースの要求を隣接基地局に行うことで、隣接基地局間のシグナリングに依らずに、無線リソースの衝突に起因する隣接セル間干渉を動的に抑制することができる。
【００７０】
また、上述した各実施の形態ではLTEシステム及びWCDMAシステムについて説明したが、各実施の形態は他の無線通信システム、例えばWiMAX、無線LAN（Local Access Network）などにも適用可能である。
【００７１】
上述した各実施の形態で述べた、UE３及びUE４３による無線リソース（RBを含む）の割当要求処理は、ＡＳＩＣ（Application Specific Integrated Circuit）、ＤＳＰ（Digital Signal Processor）、ＭＰＵ（Micro Processing Unit）若しくはＣＰＵ（Central Processing Unit）又はこれらの組み合わせを含むコンピュータ・システムを用いて実現することができる。同様に、eNB２及びNB４２による無線リソース（RBを含む）の割り当て処理も、コンピュータ・システムを用いて実現することができる。具体的には、上述したRB要求部３１、RB要求部４３１、RB割当部２１、又はRB割当部４２１の処理手順に関する命令群を含むプログラムをコンピュータ・システムに実行させればよい。
【００７２】
これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７３】
さらに、本発明は上述した実施の形態のみに限定されるものではなく、既に述べた本発明の要旨を逸脱しない範囲において種々の変更が可能であることは勿論である。
【００７４】
例えば、上記の実施の形態の一部又は全部は、以下の付記のようにも記載されうるが、以下には限られない。
（付記１）
第１及び第２の基地局と無線通信可能な無線通信部と、
無線リソース要求部と、
を備え、
前記無線リソース要求部は、
前記無線通信部が前記第１の基地局との間でアップリンク信号の送信及びダウンリンク信号の受信を行う場合に、前記第２の基地局に対してアップリンク及びダウンリンクのうち少なくとも一方の無線リソースの一時的な割り当てを要求し、
前記第２の基地局によって割り当てられた前記無線リソースを前記無線通信部による前記第１の基地局との間の前記アップリンク信号の送信又は前記ダウンリンク信号の受信に使用可能とする、
移動局装置。
【００７５】
（付記２）
前記無線リソース要求部は、前記アップリンク信号及び前記ダウンリンク信号のうち少なくとも一方の通信品質が基準値を超えて低下する場合に、前記基準値を確保するために必要な無線リソースの割り当てを前記第２の基地局に要求するよう構成されている、付記１に記載の移動局装置。
【００７６】
（付記３）
前記無線リソース要求部は、前記アップリンク信号及び前記ダウンリンク信号のうち少なくとも一方に対する周辺セルからの干渉の発生を契機として、前記無線リソースの一時的な割り当てを前記第２の基地局に要求するよう構成されている、付記１又は２に記載の移動局装置。
【００７７】
（付記４）
前記無線リソース要求部は、前記アップリンク信号及び前記ダウンリンク信号のうち少なくとも一方のスループットの低下が検知されたことに応じて、前記無線リソースの一時的な割り当てを前記第２の基地局に要求するよう構成されている、付記１〜３のいずれか１項に記載の移動局装置。
【００７８】
（付記５）
前記第２の基地局は複数の基地局を含み、
前記無線リソース要求部は、前記複数の基地局のうちダウンリンク受信電力の大きさに基づいて選択された少なくとも１つの基地局に対して前記無線リソースの割り当てを要求するよう構成されている、付記１〜４のいずれか１項に記載の移動局装置。
【００７９】
（付記６）
自セルを形成し、移動局と無線通信を行うことが可能な無線通信部と、
前記自セルの周辺に形成された周辺セルに在圏する移動局からの要求に応じて、アップリンク及びダウンリンクのうち少なくとも一方の無線リソースを前記移動局に対して一時的に割り当てる無線リソース割当部と、
を備える基地局装置。
【００８０】
（付記７）
前記無線リソース割当部は、前記移動局に対して割り当てた無線リソースの前記自セルに在圏する他の移動局による使用を禁止するよう構成されている、付記６に記載の基地局装置。
【００８１】
（付記８）
第１のセルを形成可能な第１の基地局と、
前記第１のセルに隣接する第２のセルを形成可能な第２の基地局と、
前記第１及び第２の基地局と無線通信可能な移動局とを備え、
前記移動局は、
前記第１の基地局との間でアップリンク信号の送信及びダウンリンク信号の受信を行う場合に、前記第２の基地局に対してアップリンク及びダウンリンクのうち少なくとも一方の無線リソースの一時的な割り当てを要求し、前記第２の基地局によって割り当てられた前記無線リソースを前記第１の基地局との間の前記アップリンク信号の送信又は前記ダウンリンク信号の受信に使用するよう構成されている、
無線通信システム。
【００８２】
（付記９）
前記移動局は、前記アップリンク信号及び前記ダウンリンク信号のうち少なくとも一方の通信品質が基準値を超えて低下する場合に、前記基準値を確保するために必要な無線リソースの割り当てを前記第２の基地局に要求するよう構成されている、付記１に記載の無線通信システム。
【００８３】
（付記１０）
前記移動局は、前記アップリンク信号及び前記ダウンリンク信号のうち少なくとも一方に対する周辺セルからの干渉の発生を契機として、前記無線リソースの一時的な割り当てを前記第２の基地局に要求するよう構成されている、付記８又は９に記載の無線通信システム。
【００８４】
（付記１１）
前記移動局は、前記アップリンク信号及び前記ダウンリンク信号のうち少なくとも一方のスループットの低下を検知した場合に前記無線リソースの一時的な割り当てを前記第２の基地局に要求するよう構成されている、付記８〜１０のいずれか１項に記載の無線通信システム。
【００８５】
（付記１２）
前記第２の基地局は、前記移動局に対して割り当てた前記無線リソースの前記第２のセルに在圏する他の移動局による使用を禁止するよう構成されている、付記８〜１１のいずれか１項に記載の無線通信システム。
【００８６】
（付記１３）
前記第２の基地局は複数の基地局を含み、
前記移動局は、前記複数の基地局のうちダウンリンク受信電力の大きさに基づいて選択された少なくとも１つの基地局に対して前記無線リソースの割り当てを要求するよう構成されている、付記８〜１２のいずれか１項に記載の無線通信システム。
【００８７】
（付記１４）
第１のセルに在圏し前記第１のセルを形成する第１の基地局との間でアップリンク信号の送信及びダウンリンク信号の受信を行う場合に、前記第１のセルに隣接する第２のセルを形成する第２の基地局に対してアップリンク及びダウンリンクのうち少なくとも一方の無線リソースの一時的な割り当てを要求すること、及び
前記第２の基地局によって割り当てられた前記無線リソースを前記第１の基地局との間の前記アップリンク信号の送信又は前記ダウンリンク信号の受信に使用すること、
を備える移動局の制御方法。
【００８８】
（付記１５）
前記無線リソースの一時的な割り当ての要求は、前記アップリンク信号及び前記ダウンリンク信号のうち少なくとも一方の通信品質が基準値を超えて低下する場合に、前記基準値を確保するために必要な無線リソースの割り当てを要求することを含む、付記１４に記載の方法。
【００８９】
（付記１６）
前記無線リソースの一時的な割り当ての要求は、前記アップリンク信号及び前記ダウンリンク信号のうち少なくとも一方に対する周辺セルからの干渉の発生を契機として行われる、付記１５又は１６に記載の方法。
【００９０】
（付記１７）
前記無線リソースの一時的な割り当ての要求は、前記アップリンク信号及び前記ダウンリンク信号のうち少なくとも一方のスループットの低下が検知されたことに応じて行われる、付記１４〜１６のいずれか１項に記載の方法。
【００９１】
（付記１８）
前記第２の基地局は複数の基地局を含み、
前記無線リソースの一時的な割り当ての要求は、前記複数の基地局のうちダウンリンク受信電力の大きさに基づいて選択された少なくとも１つの基地局に対して行われる、付記１４〜１７のいずれか１項に記載の方法。
【００９２】
（付記１９）
自セルを形成し、移動局と無線通信を行うことが可能な基地局の制御方法であって、
前記自セルの周辺に形成された周辺セルに在圏する移動局からの要求に応じて、アップリンク及びダウンリンクのうち少なくとも一方の無線リソースを前記周辺セルに在圏する移動局に対して一時的に割り当てること、
を備える基地局の制御方法。
【００９３】
（付記２０）
移動局に関する制御をコンピュータに行わせるためのプログラムであって、
前記移動局は、第１及び第２の基地局と無線通信可能な無線通信部を備え、
前記制御は、
第１のセルに在圏し前記第１のセルを形成する第１の基地局との間でアップリンク信号の送信及びダウンリンク信号の受信を行う場合に、前記第１のセルに隣接する第２のセルを形成する第２の基地局に対してアップリンク及びダウンリンクのうち少なくとも一方の無線リソースの一時的な割り当てを要求すること、及び
前記第２の基地局によって割り当てられた前記無線リソースを前記無線通信部による前記第１の基地局との間の前記アップリンク信号の送信又は前記ダウンリンク信号の受信に使用可能とすること、
を備える、コンピュータプログラム。
【００９４】
（付記２１）
自セルを形成し、移動局と無線通信を行うことが可能な基地局の制御をコンピュータに行わせるためのプログラムであって、
前記制御は、
前記自セルの周辺に形成された周辺セルに在圏する移動局からの要求に応じて、アップリンク及びダウンリンクのうち少なくとも一方の無線リソースを前記周辺セルに在圏する移動局に対して一時的に割り当てること、
を備える、プログラム。
【００９５】
（付記２２）
前記無線リソースはリソースブロックである、付記１〜７のいずれか１項に記載の移動局装置。
【００９６】
（付記２３）
前記無線リソースは送信電力である、付記１〜７のいずれか１項に記載の移動局装置。
【００９７】
（付記２４）
付記２１に記載のプログラムが格納された非一時的なコンピュータ可読媒体。
【００９８】
この出願は、２０１０年１月２５日に出願された日本出願特願２０１０−０１３００８、及び２０１０年４月９日に出願された日本出願特願２０１０−０９０１２２を基礎とする優先権を主張し、これらの開示の全てをここに取り込む。
【符号の説明】
【００９９】
１  HeNB
２  (H)eNB
３  UE
４  UE
２０  無線通信部
２１  RB割当部
３０  無線通信部
３１  RB要求部
３２  スループット測定部
３３  周辺(H)eNB検出部
５２  干渉測定部
１０１  セル
１０２  セル
４１  HNB
４２  (H)NB
４３  UE
４４  UE
４２０  無線通信部
４２１  無線リソース割当部
４３０  無線通信部
４３１  無線リソース要求部
４３２  スループット測定部
４３３  周辺(H)NB検出部
４５２  干渉測定部
【図１】
2011089674.tif 000003
【図２】
2011089674.tif 000004
【図３】
2011089674.tif 000005
【図４】
2011089674.tif 000006
【図５】
2011089674.tif 000007
【図６】
2011089674.tif 000008
【図７】
2011089674.tif 000009
【図８】
2011089674.tif 000010
【図９】
2011089674.tif 000011
【図１０】
2011089674.tif 000012
【図１１】
2011089674.tif 000013
【図１２】
2011089674.tif 000014
【図１３】
2011089674.tif 000015
【国際調査報告】
2011089674.tif 000016
2011089674.tif 000017
2011089674.tif 000018